(57)【要約】【課題】扉の照明を効果的に行うことによって、装置自体の効果的なアピールを可能とする飲料ディスペンサを提供する。【解決手段】本体３前面の扉２８に複数の飲料選択ボタン４１、４０Ａ、４０Ｂを備え、該飲料選択ボタンの操作に基づき、扉下方の飲料供給位置１１、１０Ａ、１０Ｂに配置されたカップに、ノズルより飲料を供給する飲料ディスペンサ１において、飲料選択ボタンに設けられ、当該飲料選択ボタンの前面の一部に装飾部材４３を着脱自在に保持するボタン側保持部４２と、該ボタン側保持部に保持された装飾部材の後側に対応して設けられたボタン照明４４とを備え、装飾部材のボタン照明手段側の面を、光反射面４３Ａとした。【選択図】図４
2008213884.tif 000002
【特許請求の範囲】
【請求項１】
本体前面の扉に複数の飲料選択ボタンを備え、該飲料選択ボタンの操作に基づき、前記扉下方の飲料供給位置に配置されたカップに、ノズルより飲料を供給する飲料ディスペンサにおいて、
前記飲料選択ボタンに設けられ、当該飲料選択ボタンの前面の一部に装飾部材を着脱自在に保持するボタン側保持部と、該ボタン側保持部に保持された前記装飾部材の後側に対応して設けられたボタン照明手段とを備え、前記装飾部材の前記ボタン照明手段側の面を、光反射面としたことを特徴とする飲料ディスペンサ。
【請求項２】
本体前面の扉に複数の飲料選択ボタンを備え、該飲料選択ボタンの操作に基づき、前記扉下方の飲料供給位置に配置されたカップに、ノズルより飲料を供給する飲料ディスペンサにおいて、
前記扉上面から前面上部に渡って設けられた透光性の上部カバーと、該上部カバーに内方から光を照射する扉上部照明手段とを備え、異常が発生した場合に前記扉上部照明手段の点灯状態を変更することを特徴とする飲料ディスペンサ。
【請求項３】
前記本体から離間して設置可能であり、当該本体と電気的に接続されたボタンモジュールを備え、該ボタンモジュールにも前記飲料選択ボタンを設けたことを特徴とする請求項１又は請求項２に記載の飲料ディスペンサ。
【発明の詳細な説明】
【技術分野】
【０００１】
本発明は、本体前面の扉に複数の飲料選択ボタンを供え、当該飲料選択ボタンの操作に基づき、扉下方の飲料供給位置に配置されたカップに、ノズルより飲料を供給する飲料ディスペンサに関するものである。
【背景技術】
【０００２】
従来より用いられている飲料ディスペンサは、濃度の高い液体原料を収容した液体原料タンクが接続され、当該液体原料と、希釈水や炭酸水等の希釈液を適度の比率で混ぜ合わせながらカップに所定量供給するタンクユニットと、ＢＩＢ（Ｂａｇ  Ｉｎ  Ｂｏｘ）から引き出された導出チューブをチューブポンプにて扱くことにより、ＢＩＢから飲料原料を押し出し、ノズルにて希釈水又は炭酸水等の希釈液と機械的に混合して供給するＢＩＢユニットとを合わせ持つものがある（例えば、特許文献１参照）。
【０００３】
これらタンクユニットと、ＢＩＢユニットの前面に位置して開閉自在の扉が設けられており、当該扉にて各ユニットが隠蔽される。そして、この扉の前面には、各飲料の供給を操作する飲料選択ボタンが設けられている。扉の前面左右には、それぞれのＢＩＢユニットから供給される飲料を選択するための飲料選択ボタンが設けられており、扉の中央には、タンクユニットから供給される飲料を選択するためのボタン（飲料選択ボタン）が設けられている。
【０００４】
そして、各飲料選択ボタンが設けられている以外の扉前面の領域、例えば、前面上部は、空きスペースとなるため、当該装置により供給が可能となる飲料に関する広告等の貼付スペースとして用いられている。
【特許文献１】特開平１１−２４５９９７号公報
【発明の開示】
【発明が解決しようとする課題】
【０００５】
従来の扉には、飲料ディスペンサ自体を利用者にアピールするため、上記広告等の貼付スペースに蛍光灯などの照明装置を備えるものがある。この場合、広告等を透孔可能な材料にて構成し、扉内部に設けられた照明装置により、当該広告等を後方から照明することによって、広告面を明るく照らし出すものや、広告等の上前方などから照明装置によって照明するものがある。
【０００６】
これに対し、扉の前面に取り付けられる各飲料選択ボタンは、当該飲料選択ボタンの直上などの周辺に設けられる飲料ラベルとは別個に設けられている。飲料選択ボタンは、当該飲料ラベルと比較して小さく形成されていると共に、当該ボタンのみを点灯可能とするための小型の照明（ランプ）が取り付けられているのみであった。
【０００７】
そのため、扉上部は、広告等の照明装置によって照明されるものの、飲料選択ボタンが設けられる領域は、各ボタンに設けられる小型の照明のみによる照明であったため、扉全体が明るく照明される構成ではなかった。
【０００８】
また、上記扉内に配設される照明装置は、小型の蛍光灯が用いられているため、寿命が短く半年程度で交換作業が強いられることとなる。更に、当該蛍光灯は、ソケットや安定器などが必要とされるため、当該蛍光灯を取り付けるための収容スペースを扉内に確保しなければ成らず、当該扉の薄型化が望まれている現状では、当該蛍光灯による照明は困難であった。
【０００９】
そこで、本発明は従来の技術的課題を解決するために成されたものであり、扉の照明を効果的に行うことによって、装置自体の効果的なアピールを可能とする飲料ディスペンサを提供する。
【課題を解決するための手段】
【００１０】
本発明の飲料ディスペンサは、本体前面の扉に複数の飲料選択ボタンを備え、該飲料選択ボタンの操作に基づき、扉下方の飲料供給位置に配置されたカップに、ノズルより飲料を供給するものであって、飲料選択ボタンに設けられ、当該飲料選択ボタンの前面の一部に装飾部材を着脱自在に保持するボタン側保持部と、該ボタン側保持部に保持された装飾部材の後側に対応して設けられたボタン照明手段とを備え、装飾部材のボタン照明手段側の面を、光反射面としたことを特徴とする。
【００１１】
請求項２の発明の飲料ディスペンサは、本体前面の扉に複数の飲料選択ボタンを備え、該飲料選択ボタンの操作に基づき、扉下方の飲料供給位置に配置されたカップに、ノズルより飲料を供給するものであって、扉上面から前面上部に渡って設けられた透光性の上部カバーと、該上部カバーに内方から光を照射する扉上部照明手段とを備え、異常が発生した場合に扉上部照明手段の点灯状態を変更することを特徴とする。
【００１２】
請求項３の発明の飲料ディスペンサは、上記各発明において、本体から離間して設置可能であり、当該本体と電気的に接続されたボタンモジュールを備え、該ボタンモジュールにも飲料選択ボタンを設けたことを特徴とする。
【発明の効果】
【００１３】
本発明によれば、本体前面の扉に複数の飲料選択ボタンを備え、該飲料選択ボタンの操作に基づき、扉下方の飲料供給位置に配置されたカップに、ノズルより飲料を供給する飲料ディスペンサにおいて、飲料選択ボタンに設けられ、当該飲料選択ボタンの前面の一部に装飾部材を着脱自在に保持するボタン側保持部と、該ボタン側保持部に保持された装飾部材の後側に対応して設けられたボタン照明手段とを備え、装飾部材のボタン照明手段側の面を、光反射面としたことにより、ボタン照明手段からの照射光を装飾部材のボタン照明手段側に形成された光反射面に反射させ、飲料選択ボタンの前面であって装飾部材が取り付けられていない領域から前面に照射させることが可能となる。
【００１４】
これにより、小型のボタン照明手段を用いた場合であっても、ボタン側保持部内において装飾部材の後面の光反射面において、ボタン照明手段からの照射光を反射させることによって、強い照射光を装飾部材が設けられていない飲料選択ボタンの前面から照射することができる。従って、飲料選択ボタン全体をボタン照明手段によって明るく照らし出すことができ、装置自体の効果的なアピールが可能となる。
【００１５】
請求項２の発明によれば、本体前面の扉に複数の飲料選択ボタンを備え、該飲料選択ボタンの操作に基づき、扉下方の飲料供給位置に配置されたカップに、ノズルより飲料を供給する飲料ディスペンサにおいて、扉上面から前面上部に渡って設けられた透光性の上部カバーと、該上部カバーに内方から光を照射する扉上部照明手段とを備えることにより、飲料ディスペンサの上方を照明することによって、演出効果を高めることが可能となる。これにより、扉の照明を効果的に行うことによって、装置自体の効果的なアピールが可能となる。
【００１６】
また、当該扉上部照明手段は、異常が発生した場合に点灯状態を変更することにより、利用者に不安感を与えることなく、当該飲料ディスペンサを管理する店員などに当該飲料ディスペンサに異常、例えば、飲料原料の売り切れなどを報知することが可能となる。特に、この場合、扉上部照明手段の点灯状態を変更することから、従来の如く扉前面に設けられる小型のランプによって異常を報知する場合に比較して、店員等に異常を認識させやすくなるため、早期に異常への対応を行うことが可能となる。
【００１７】
また、請求項３の発明によれば、上記各発明に加えて、本体から離間して設置可能であり、当該本体と電気的に接続されたボタンモジュールを備え、該ボタンモジュールにも飲料選択ボタンを設けたので、飲料選択ボタンを扉前面以外の任意の場所に設けることが可能となり、身障者や子供などの手の届きやすい位置に取り付けることによって、利便性の向上を図ることが可能となる。
【発明を実施するための最良の形態】
【００１８】
次に、図面に基づき本発明の実施形態を詳述する。図１は本発明の飲料ディスペンサ１の正面図、図２は本発明の飲料ディスペンサ１の扉２８を開いた状態の正面図、図３は飲料ディスペンサ１の内部構成を示す側面図を示している。
【００１９】
本実施例の飲料ディスペンサ１は、レストランや喫茶店などにおいて、顧客等が自由に飲料の供給を行うことを可能とするものであり、ウーロン茶、コーヒー等の中性飲料を供給するＢＩＢユニット３２、３２と、強弱無炭酸系の目的飲料を供給するタンクユニット３１を本体２内に併せ持つ装置である。係る飲料ディスペンサ１の構造は、図２に示す如くタンクユニット３１が中央に、その両側にＢＩＢユニット３２、３２が配置されている。そして、これらタンクユニット３１とＢＩＢユニット３２、３２は前面に位置する開閉自在の扉２８にて隠蔽されている。
【００２０】
タンクユニット３１は、図２、図３に示す如く、飲料原料を供給する飲料原料流路に電磁弁８とフローレギュレータ１７を配設して構成している。更に、タンクユニット３１には、飲料原料と他のチューブより供給される希釈水を混合して目的飲料を吐出するマルチノズル１２が設けられている。このマルチノズル１２は、複数の飲料原料タンクより供給される種類の異なった飲料原料によって種類の異なった目的飲料を利用者の選択に応じて吐出する複合ノズルである。
【００２１】
次に、ＢＩＢユニット３２を図２に基づき説明する。ＢＩＢ３の不透明な導出チューブ４は、売切検知用のセンサ１３を介して、ポンプ（ペリスタルティックポンプ）５のロータ５Ａとアーム５Ｂに挟持されており、ポンプ５の下方に設けられたピンチソレノイド１９を介して、飲料原料は、ノズル６に供給されるように構成されている。
【００２２】
ポンプ５は、ロータ５Ａに取り付けられた複数のローラによって導出チューブ４を順次扱きながら飲料原料を押し出すものである。更に、飲料原料のノズル６に隣接して希釈水のノズル７が設けられている。
【００２３】
そして、このＢＩＢユニット３２のノズル６、７及びタンクユニット３１のマルチノズル１２の下方には、テーブル１４が設けられ、テーブル１４上にガイド１５によってガイドされるカップを配置することができる。本実施例では、テーブル１４の上には、中央のタンクユニット３１のマルチノズル１２の下方を飲料供給位置１０とされると共に、タンクユニット３１の左右に設けられるＢＩＢユニット３２、３２からの飲料の供給が行われるノズル６、７のそれぞれの下方を飲料供給位置１１Ａ、１１Ｂとされる。そのため、ガイド１５は、それぞれの飲料供給位置１０、１１Ａ、１１Ｂに対応して載置されるカップのガイド位置に設けられる。
【００２４】
また、これら飲料供給位置１０、１１Ａ、１１Ｂのそれぞれに対応して、各ノズル１２、６、７の下方に位置する本体２の前面には、カップの有無を検出するためのカップセンサ２０、２１Ａ、２１Ｂが設けられている。本実施例におけるカップセンサは、光の発光部と受光部を備えた光学測距方式の光反射型センサ（光センサ）であり、発光部からの光がカップの側面に当たり反射すると、その反射した光を受光部が受け信号を出力するものである。尚、本実施例では、カップセンサは光センサを用いているが、カップの有無を検出することができるものであれば、これに限定されるものではない。
【００２５】
尚、図３の３３は希釈水などを冷却するための冷却装置を構成するコンプレッサ、３４はコンデンサ、３６は希釈水ポンプモータである。また、３７は水槽である。
【００２６】
次に、図１、図４乃至図７を参照して、扉２８の前面の構成について詳述する。図４は、銘柄フィルム４３、扉装飾部材２２を取り除いた状態の飲料ディスペンサ１の正面図、図５は図４のＡ−Ａ部分を上方から見た断面図、図６は図４のＢ−Ｂ部分を下方から見た断面図、図７は扉２８の上面図、図８は図７の上部カバー２４を取り除いた状態の上面図を示している。
【００２７】
扉２８の前面には、飲料が吐出される各ノズル１２、６、７に対応する飲料の供給を指示する飲料選択ボタンが設けられる。この飲料選択ボタンは、飲料供給位置毎に対応して形成されるものである。本実施例では、ＢＩＢユニット３２から供給される飲料の飲料選択ボタン４０Ａ、４０Ｂは、左右の飲料供給位置１１Ａ、１１Ｂの上方（扉２８の左右側部）に位置して設けられ、タンクユニット３１から供給される飲料の各飲料選択ボタン４１・・・は、中央の飲料供給位置の上方（扉２８の中央）に位置して設けられる。
【００２８】
即ち、図１の例では、一方（正面から向かって左側）のＢＩＢユニット３２により供給される飲料はウーロン茶であり、他方のＢＩＢユニット３２により供給される飲料はコーヒーである。そのため、飲料供給位置１１Ａの上方に位置してウーロン茶の飲料選択ボタン４０Ａが設けられると共に、飲料供給位置１１Ｂの上方に位置してコーヒーの飲料選択ボタン４０Ｂが設けられる。また、タンクユニット３１により供給される飲料は、オレンジソーダ、グレープソーダ、オレンジ、グレープ、レモン、メロンの各飲料であり、それぞれ飲料供給位置１０の上方に位置して縦に一列に並べられた状態で、各種飲料選択ボタン４１・・・が設けられる。本実施例では、各飲料供給位置と、各種飲料選択ボタンとの連動感を認識させやすくするため、各種飲料選択ボタンは、より各飲料供給位置に近くなる扉２８の下部に設けられるものとする。
【００２９】
各飲料選択ボタン４０Ａ、４０Ｂ、４１は、図４及び図５に示されるように、前面が所定曲率にて湾曲して形成された略半円筒状を呈するボタン側保持部４２と、当該ボタン側保持部４２に保持される銘柄等が印刷された装飾部材４３と、当該装飾部材４３を後方から照らし出すボタン照明（ボタン照明手段）４４と、装飾部材４３の後方に位置する接触スイッチ４５とから構成される。
【００３０】
ボタン側保持部４２は、内部を透視可能とすると共に、所定の可撓性を有する材料にて形成されており、当該ボタン側保持部４２全体は、扉２８の前面に対し着脱自在に嵌め込まれるものである。
【００３１】
また、当該ボタン側保持部４２に保持される装飾部材４３は、図９に示すように飲料選択ボタン４１の前面の一部、本実施例では略中央に位置して所定の面積を被覆するシートにより形成されている。この装飾部材４３の前面には、当該飲料選択ボタンの操作により供給が可能となる飲料の種類などが印刷等により表されているものとし、裏面、即ち、ボタン照明４４側の面は、白色又は銀色などの高い反射率を有する反射面４３Ａとされている。当該装飾部材４３は、ボタン側保持部４２を扉２８前面から取り外した状態で、当該保持部４２の上下端より挿脱可能とされると共に、当該保持部４２の前面の湾曲形状に沿って保持される。
【００３２】
装飾部材４３の後方に設けられるボタン照明４４は、例えば白色のＬＥＤなどの照明手段により構成されており、本実施例では少なくとも二段階の照度（低・高）を制御可能とされている。また、同様に装飾部材４３の後方に設けられる接触スイッチ４５は、本実施例では、ボタン照明４４の左右に二つ設けられており、前方に設けられるボタン側保持部４２が扉２８方向に押されることにより通電され、対応する飲料の供給を指示することを可能とする。尚、当該ボタン照明４４及び接触スイッチ４５は、いずれもそれぞれの飲料選択ボタン毎に設けられるボタン基板４６に設けられる。また、このボタン基板４６も装飾部材４３の裏面と同様に、白色又は銀色などの高い反射率を有する反射面４６Ａとされている。なお、ボタン基板４６に限定されることなく当該ボタン照明４４周囲に取り付けられる部材も白色等の反射率の高い材料により構成することにより、反射効率の向上を図っても良い。
【００３３】
他方、当該扉２８前面の上記各飲料選択ボタン４０Ａ、４０Ｂ、４１が設けられる以外の領域には、電照看板４８が設けられる。この電照看板４８は、上記各飲料選択ボタン４０Ａ、４０Ｂ、４１を回避したかたちで、扉２８前面の全体に渡って形成されるものであり、扉側保持部２３と、当該扉側保持部２３に着脱自在に保持される透光性の装飾部材と、該装飾部材を後方から照らし出す扉照明（扉照明手段）４９とから構成される。
【００３４】
本実施例では、扉側保持部２３は、上述した如き各ユニット３１、３２、３２から飲料供給が行われる飲料供給位置１０、１１Ａ、１１Ｂのそれぞれに対応して（実際には、左右に並べられた各飲料選択ボタンの列に対応して）左右に三つに区画されており、いずれの区画２３Ａ、２３Ｂ、２３Ｃも、飲料選択ボタン４０Ａ、４１、４０Ｂを回避するかたちで、上下に延在すると共に、前面は所定曲率にて湾曲して形成された略半円筒状を呈している。そして、この扉側保持部２３の少なくとも前面は、内部を透視可能な材料にて形成されている。また、各区画２３Ａ、２３Ｂ、２３Ｃが形成された扉側保持部２３の上端は、上部カバー２４にて開閉自在に閉塞される。
【００３５】
また、当該扉側保持部２３に保持される装飾部材２２Ａ乃至２２Ｃは、例えば、所定の透光度を有するシートにより形成されており、当該飲料ディスペンサ１により供給される飲料の広告やイメージ図柄、メッセージなどが印刷等により表されているものとする。上部カバー２４が開放された状態で、当該保持部２３の各区画２３Ａ乃至２３Ｃの上端より装飾部材２２Ａ乃至２２Ｃが挿脱可能とされると共に、当該保持部２３の前面の湾曲形状に沿って保持される。
【００３６】
各装飾部材２２Ａ乃至２２Ｃの後方に設けられる扉照明４９は、前記ボタン照明４４と同様に、例えばＬＥＤなどの照明手段により構成されている。このとき、同一の区画２３Ａ乃至２３Ｃに設けられる扉照明４９は、同一の照明基板５０に設けられるものとする。尚、本実施例では扉照明４９による照度は、前記ボタン照明４４の低照度と略同程度であるものとする。また、図４に示されるように、扉２８中央に設けられる飲料選択ボタン４１は、扉２８左右に設けられる飲料選択ボタン４０Ａ及び４０Ｂよりも上方に渡って設けられているため、当該電照看板４８は、左右の区画２３Ａ及び２３Ｃよりも中央の区画２３Ｂが短く上方に偏って設けられ、中央上部に設けられる飲料選択ボタン４１・・・は、左右が電照看板４８に囲繞されるかたちで配置されることとなる。
【００３７】
次に、図４及び図６を参照して、扉２８の下部に設けられる位置照明（位置照明手段）の構成について説明する。扉２８の下部は、上記各飲料供給位置１０、１１Ａ、１１Ｂの上方に位置すると共に、各飲料選択ボタン４１、４０Ａ、４０Ｂの下方にそれぞれ位置して、前面にノズル位置表示部５３、５４Ａ、５４Ｂが形成され、下面に位置照明窓５５、５６Ａ、５６Ｂが形成される。そして、これらノズル位置表示部５３及び位置照明窓５５の内方に、位置照明５７が設けられる。同様にノズル位置表示部５４Ａ、位置照明窓５６Ａの内方、ノズル位置表示部５４Ｂ、位置照明５６Ｂの内方に、位置照明５８Ａ、５８Ｂがそれぞれ設けられる。
【００３８】
各位置照明５７、５８Ａ、５８Ｂは、上記ボタン照明４４と同様に例えばＬＥＤにより構成されており、これらは、同一の照明基板５９に設けられる。これにより、位置照明５７が点灯されることにより、扉２８の下部中央に形成されるノズル位置表示部５３から前方に光が透過されると共に、位置照明窓５５より下方に位置する飲料供給位置１０が上方より照明される。同様に位置照明５８Ａ、５８Ｂが点灯されることにより、扉２８の下部左右に形成されるノズル位置表示部５４Ａ、５４Ｂから前方に光が透過され、下方に設けられる飲料供給位置を表示することが可能となる。また、これと共に、位置照明窓５６Ａ、５６Ｂより下方に位置する飲料供給位置１１Ａ、１１Ｂが上方より照明される。
【００３９】
次に、図７及び図８を参照して、扉２８の上面から前面上部に渡って設けられる扉上部照明（扉上部照明手段）６２の構成について説明する。扉２８の上端には、上述した如き上部カバー２４が取り付けられている。この上部カバー２４は、扉２８の上面から前面上部、更には、両側面に渡って取り付けられる透孔性を有するカバー部材により構成される。
【００４０】
この上部カバー２４にて被覆される扉２８上端には、複数の扉上部照明６２Ｗ及び６２Ｒが設けられる。係る扉上部照明は、上記ボタン照明４４と同様に例えばＬＥＤにより構成されており、本実施例では少なくとも二色、例えば白色の扉上部照明６２Ｗと赤色の扉上部照明６２Ｒが設けられており、これらを通電制御することによって照明色を変更制御可能とされている。各扉上部照明６２は、同一の照明基板６３に設けられる。これにより、扉上部照明６２が点灯されることにより、扉２８の上面や前面上部に設けられる上部カバー２４から扉２８の上方や前方、更には、側方に照射光が透過される。これによって、扉２８上方や前方が明るく照明される。
【００４１】
尚、図５乃至図８において５２は、扉２８の後面外縁部に設けられ、当該扉２８後面と本体２前縁部とを密着するパッキンである。
【００４２】
一方、この飲料ディスペンサ１を構成する本体２には、当該本体２から離間して設置可能とされるボタンモジュール６５が接続されている。このボタンモジュール６５は、扉２８に設けられる複数の飲料選択ボタンと同様の飲料選択ボタンが設けられるものであり、本実施例では、その内でも、扉２８の上部に位置する複数の飲料選択ボタン、即ち、タンクユニット３１から供給される飲料選択ボタン４１・・・であって、上部から例えば３つ分の飲料選択ボタン４１に対応して略同一の効果、機能を有する飲料選択ボタン６６・・・が設けられている。
【００４３】
なお、当該飲料選択ボタン６６も、上記飲料選択ボタン４１と同様に、前面が所定曲率にて湾曲して形成された略半円筒状を呈するボタン側保持部６７と、当該ボタン側保持部６７に保持される銘柄等が印刷された装飾部材６８と、当該装飾部材６８を後方から照らし出すボタン照明（ボタン照明手段）６９と、装飾部材６８の後方に位置する接触スイッチ７０とから構成される。なお、当該飲料選択ボタン６６に設けられる装飾部材６８は、上部に設けられる飲料選択ボタン４１と同様の飲料を供給可能とすることが認識される表示が行われているものとする。
【００４４】
当該ボタン側保持部６７に保持される装飾部材６８も上記装飾部材４３と略同一の構成とされ、ボタン照明６９側の面は、反射面とされている。また、ボタン照明６９も、ボタン照明４４と同様に例えばＬＥＤなどの照明手段により構成されており、本実施例では少なくとも二段階の照度（低・高）を制御可能とされている。
【００４５】
これらボタン照明６９及び接触スイッチ７０は、いずれもそれぞれの飲料選択ボタン毎に設けられるボタン基板７１に設けられる。また、このボタン基板７１も装飾部材４３の裏面と同様に、白色又は銀色などの高い反射率を有する反射面とされている。
【００４６】
そして、各飲料選択ボタン６６が設けられたボタンモジュール６５は、当該飲料ディスペンサ１が設置されるカウンターテーブルＴの前面に取り付け、当該ボタンモジュール６５と本体２とを接続する電気配線は、カウンターテーブルＴ内部を貫通させることにより、外観から隠蔽する。
【００４７】
次に、図１０の制御装置６０の電気ブロック図を参照して、本実施例における各種照明と飲料供給の制御を行う制御装置６０について説明する。制御装置６０は、汎用のマイクロコンピュータにより構成されており、所定の時限手段としてのタイマ６１を内蔵している。この制御装置６０の入力側には、飲料選択ボタン４０Ａ、４０Ｂ、４１、６６・・の各接触スイッチ４５、７０と、カップセンサ２０、２１Ａ、２１Ｂと、販売可スイッチ７３などが接続される。制御装置６０の出力側には、タンクユニット３１の各飲料原料の供給ラインに設けられる開閉弁８等と、ＢＩＢユニット３２、３２に設けられるポンプ５、５及び希釈水電磁弁（ノズル７に接続）７４と、各ボタン照明４４、６９と、扉照明４９と、位置照明５７、５８Ａ、５８Ｂと、扉上部照明６２Ｗ、６２Ｒなどが接続される。
【００４８】
以上の構成にて、飲料ディスペンサ１の各種照明と飲料供給に関する制御について説明する。
（販売待機状態）
営業時間等の待機時間帯は、先ず飲料ディスペンサ１の管理者等は、扉２８の内方に設けられる販売可スイッチ７３をＯＮとし、販売待機状態とする。この販売待機状態では、制御装置６０は、扉照明４９を点灯すると共に、同程度の照度（低照度設定）にて各飲料選択ボタン４０Ａ、４０Ｂ、４１、６６の各ボタン照明４４、６９も点灯する。更に、各位置照明５７、５８Ａ、５８Ａと白色の扉上部照明６２Ｗも点灯する。
【００４９】
これにより、販売待機状態では、扉照明４９により透孔性材料にて構成される扉装飾部材２２が後方から照らし出される。更に、白色の各ボタン照明４４により装飾部材４３が後方から照らされ、当該照射光がボタン照明４４側に面して形成される反射面４３Ａにより反射され、更に、ボタン基板４６に形成される反射面４６Ａにより反射されることによって、強い照射光となった光が装飾部材４３が設けられていない領域（部分）の飲料選択ボタン前面（図９のハッチングされた部分）から照射される。特に、本実施例では、ボタン照明４４は、白色とされているため、反射面４６Ａ等による反射効率が高くなり、より強く照射光を形成することが可能となる。
【００５０】
これにより、小型のボタン照明を用いた場合であっても、比較的強い照射光を装飾部材４３が設けられていない領域の飲料選択ボタン前面から照射することが可能となるため、飲料選択ボタン４１全体をボタン照明４４によって明るく照らし出すことができ、装置自体の効果的なアピールが可能となる。
【００５１】
従って、扉２８の前面全体から照明を行われるため、飲料ディスペンサ１自体の美感の向上を図ることができ、顧客に装置自体を積極的にアピールすることが可能となる。また、この照明により、飲料ディスペンサ１前方をも照明することが可能となる。更に、各飲料供給位置１１Ａ、１０、１１Ｂもそれぞれの位置照明５８Ａ、５７、５８Ｂにより上方から照明されると共に、上部カバー２４を透過した扉上部照明６２Ｗの白色光が、扉２８上面や上部前面から照射されるため、飲料ディスペンサ１上方や上部前方、更には、上部側方が照明され、全体としての照明効果を向上させ、更に演出効果の向上を図ることができる。
【００５２】
なお、この場合において、本体２とは離間して設置されるボタンモジュール６５に設置されるボタン照明６９によっても照明が行われることにより、各ボタン照明６９により装飾部材６８が後方から照らされ、当該照射光がボタン照明６９側に面して形成される反射面により反射され、更に、ボタン基板７１に形成される反射面により反射されることによって、強い照射光となった光が装飾部材６８が設けられていない部分の飲料選択ボタン前面から照射される。
【００５３】
これにより、当該ボタンモジュール６５自体も明るく照らし出すことが可能となるため、本体２とは離間して設けられているが、本体２と連動して機能するものであることを利用者に想起させやすくなり、本体２との一体感を向上させることができる。
（飲料供給制御）
上記販売待機状態において、使用者が飲料の供給を行う場合には、先ず、供給を行う飲料の選択を行い、当該飲料の銘柄等が記載された装飾部材４３が取り付けられた飲料選択ボタンの下方に位置する飲料供給位置にカップを載置する。尚、ここでは、一方のＢＩＢユニット３２（正面から向かって左側）から飲料を供給する場合を例に挙げて説明する。
【００５４】
図１に示される飲料ディスペンサ１において、例えば、ウーロン茶の供給を行う場合には、飲料選択ボタン４０Ａの下方であって、当該ウーロン茶の飲料原料の供給を行うノズル６及び希釈水の供給を行うノズル７の下方に位置する飲料供給位置１１Ａにカップを載置する。
【００５５】
これにより、当該飲料供給位置１１Ａに設けられるカップセンサ２１Ａは、カップが当該飲料供給位置１１Ａに置かれたことを検出し、当該検出に基づき制御装置６０は、飲料選択ボタン４０Ａのボタン照明４４の照度を高設定とすると共に、当該ボタン４０Ａの操作を有効なものとする。更に、販売待機状態では、すべての飲料供給位置が位置照明５７、５８Ａ、５８Ｂにより照明されていたが、当該カップセンサ２１Ａのカップ検出により、制御装置６０は、カップセンサ２１Ａに対応する位置の位置照明５８Ａのみを点灯し、他の位置照明５７及び５８Ｂは、消灯する。
【００５６】
このとき、他の飲料選択ボタン４１及び４０Ａのボタン照明４４及びボタンモジュール６５のボタン照明６９は、扉照明４９と共に低設定の照度とされているため、ボタン操作が有効なものとされた飲料選択ボタン４０Ａのみが他よりも高い照度となり強調されたかたちで照明が行われることとなる。これにより、使用者には、実際にカップが置かれた位置が、飲料供給位置１１Ａである場合には、ウーロン茶の飲料選択ボタン４０Ａのみが操作可能であり、当該飲料の供給を操作することができることを容易に認識させ、案内することが可能となる。
【００５７】
更に、当該飲料供給位置１１Ａのみが位置照明５８Ａにより照明されているため、位置照明５８Ａの点灯により前方のノズル位置表示部５４Ａに光が透過されると共に、当該飲料供給位置１１Ａのみが照明されることから、飲料ディスペンサ１の前方に立つ使用者からは、飲料選択ボタン４０Ａから飲料供給位置１１Ａに渡って、縦一列に照明が強調されたかたちとなる。
【００５８】
そのため、実際にカップが置かれた位置が、飲料供給位置１１Ａである場合には、ウーロン茶の飲料選択ボタン４０Ａのみが操作可能であり、当該飲料の供給を操作することができることをより一層、容易に認識させ、案内することが可能となる。
【００５９】
これにより、使用者がウーロン茶の飲料供給を所望しているにもかかわらず、カップが他の飲料供給位置、即ち中央の飲料供給位置１０、コーヒー供給用の飲料供給位置１１Ｂに置いてしまった場合には、ウーロン茶の飲料選択ボタン４０Ａの照度は低設定のままであり、対応する飲料供給位置１１Ａの位置照明５８Ａが消灯されているにもかかわらず、他の飲料選択ボタン４１又は４０Ｂ、６６の照度が高設定となり、これら飲料供給位置１０、１１Ｂの位置照明５７又は５８Ｂが点灯されていることで、容易に使用者にカップをおく位置を誤っていることを報知することが可能となる。また、飲料選択ボタンが高設定の照度でない場合には、ボタン操作は無効とされていることから異なる位置から飲料が供給されてしまう不都合を解消することが可能となる。
【００６０】
尚、この場合に位置照明５７、５８Ａ、５８Ｂは、カップセンサ２０、２１Ａ、２１Ｂのカップ検出により、当該検出された飲料供給位置に対応する位置照明のみを点灯し、他の位置照明を消灯するものとしているが、これに限定されるものではなく、検出された飲料供給位置に対応する位置照明の照度を高設定とし、他の位置照明の照度を低設定としても良いものとする。
【００６１】
また、係る場合において、所望している飲料供給に対し適切でない飲料供給位置、この場合飲料供給位置１０又は１１Ｂのみが位置照明５７、５８Ｂにより照明され、所望していない飲料選択ボタン４１又は４０Ｂのボタン照明４４若しくは、飲料選択ボタン６６のボタン照明６９の照度が高設定とされ、強調されているにもかかわらず、所望している飲料選択ボタン４０Ａが操作された場合には、制御装置６０は、操作された飲料選択ボタン４０Ａに対応する飲料供給位置１１Ａ以外の飲料供給位置１０又は１１Ｂにカップが置かれていると判断し、操作された飲料選択ボタン４０Ａに対応する飲料供給位置１１Ａの位置照明５８Ａを点滅させ、実際にカップが置かれた位置では、操作された飲料選択ボタン４０Ａによる飲料の供給を行うことができないことを報知し、正しいカップの載置位置、即ち、操作された飲料選択ボタン４０Ａに対応する飲料供給位置１１Ａを、当該位置に設けられる位置照明５８Ａにより使用者に案内する。
【００６２】
尚、正しいカップの載置位置を誘導する位置照明５８Ａは、点滅するのみならず、当該位置照明５８Ａの照度を周期的に変更することにより、当該位置照明５８Ａにて照明される飲料供給位置１１Ａにカップを移動させることを促しても良いものとする。
【００６３】
これにより、円滑に使用者に操作された飲料選択ボタンに対応する飲料供給位置を案内することができ、誤った位置にカップを置いてしまい、適切に飲料の供給が行えなくなる不都合を回避することが可能となる。従って、確実に、適切な位置において飲料の供給を実現することができるようになる。
【００６４】
そして、ウーロン茶の供給に適切な飲料供給位置１１Ａにカップが置かれ、当該カップセンサ２１Ａがカップの検出を適切に行っている状態で、ウーロン茶の飲料選択ボタン４０Ａが操作されることにより、当該ＢＩＢユニット３２のポンプ５が所定時間だけ運転されることで、ＢＩＢ３からウーロン茶の飲料原料がノズル６からカップ内に供給されると共に、希釈水電磁弁７４が所定時間だけ開放され、希釈水がノズル７からカップ内に供給される。このとき、カップ内には、飲料原料と希釈水とが混合され、所定の希釈割合にて希釈されたウーロン茶（飲料）が供給されることとなる。
【００６５】
また、制御装置６０は、カップセンサ２１Ａがカップを検出している間は、対応する位置照明５８Ａを点灯させ、或いは、他の位置照明５７及び５８Ｂよりも照度を高くする。これにより、ノズル６、７から供給される飲料を照明することも可能となり、演出効果を向上させることが可能となる。更に、飲料の供給後においてもカップがカップセンサ２１Ａにより検出されている間は、位置照明５８Ａにてカップが当該位置に置かれていることを示すことができ、使用者に当該カップを当該位置から移動させることを促すことが可能となる。
【００６６】
尚、上記飲料供給制御において、いずれのカップセンサによってもカップが検出されていない状態、即ち、いずれの飲料供給位置１０、１１Ａ、１１Ｂにカップが載置されていない状態で、何れかの飲料選択ボタン、ここでは、飲料選択ボタン４０Ａが操作された場合には、制御装置６０は、当該飲料選択ボタン４０Ａに基づく飲料の供給を行わずに、当該飲料選択ボタン４０Ａに対応する飲料の供給位置１１Ａの位置照明５８Ａのみを点灯、或いは、この位置照明５８Ａの照度を他の位置照明５７及び５８Ｂよりも高い照度にて点灯する。このとき、当該飲料供給位置１１Ａに対応する飲料選択ボタン４０Ａの照度を他の飲料選択ボタン４１、４０Ｂ及び６６の照度よりも高い照度で照明を行ってもよいものとする。これにより、飲料選択ボタン４０Ａにより操作されることにより、飲料の供給が行われる位置を的確に使用者に案内することが可能となる。
【００６７】
その後、当該飲料供給位置（この場合飲料供給位置１１Ａ）に対応する位置に設けられるカップセンサ２１Ａがカップが置かれたことを検出した場合には、制御装置６０は、再度、飲料選択ボタン４０Ａが操作されることを条件として、上述の如く飲料の供給を行う。これにより、確実に適切な飲料供給位置にカップが載置された状態で、カップ内に飲料の供給を行うことが可能となる。
【００６８】
尚、本実施例では、飲料選択ボタン４０Ａの操作について説明しているが、これ以外にも、いずれのカップセンサによってもカップが検出されていない状態で、飲料選択ボタン４１が操作された場合には、制御装置６０は、当該飲料選択ボタン４１に対応する飲料の供給位置１０の位置照明５７のみを点灯、或いは、この位置照明５７の照度を他の位置照明５８Ａ及び５８Ｂよりも高い照度にて点灯する。飲料選択ボタン４０Ｂが操作された場合についても同様に位置照明５８Ｂを点灯或いは、高設定の照度で点灯するものとする。
【００６９】
尚、図１の飲料ディスペンサ１において、コーヒーの供給を行う場合には、飲料選択ボタン４０Ｂの下方であって、当該コーヒーの飲料原料の供給を行うノズル６及び希釈水の供給を行うノズル７の下方に位置する飲料供給位置１１Ｂに載置する。このときも同様に、当該検出に基づき制御装置６０は、飲料選択ボタン４０Ｂのボタン照明４４の照度を高設定とすると共に、当該ボタン４０Ｂの操作を有効なものとする。更に、制御装置６０は、カップセンサ２１Ｂに対応する位置の位置照明５８Ｂのみを点灯し、他の位置照明５７及び５８Ａは、消灯する。そして、この状態で、飲料選択ボタン４０Ｂが操作されることにより、カップ内にコーヒーの飲料原料及び希釈水が供給されることとなる。
【００７０】
他方、オレンジソーダ、グレープソーダ、オレンジ、グレープ、レモン、メロンの何れかの飲料の供給を行う場合には、これら飲料選択ボタン４１の下方であって、これら飲料の飲料原料（希釈液を含む）の供給を行うマルチノズル１２の下方に位置する飲料供給位置１０にカップを載置する。このときも同様に、当該検出に基づき制御装置６０は、飲料選択ボタン４１のボタン照明４４及び飲料選択ボタン６６のボタン照明６９の照度を高設定とすると共に、当該ボタン４１及びボタン６６の操作を有効なものとする。更に、制御装置６０は、カップセンサ２０に対応する位置の位置照明５７のみを点灯し、他の位置照明５８Ａ及び５８Ｂは、消灯する。そして、この状態で、飲料選択ボタン４１又は６６の何れかが操作されることにより、対応する飲料原料及び希釈液により提供される飲料がカップ内に供給されることとなる。
【００７１】
この場合において、当該飲料ディスペンサ１が設置されるカウンターテーブルＴの前面に設けられるボタンモジュール６５には、扉２８の上部に位置する複数、本実施例では上方から３つの飲料選択ボタン４１・・・、図１の例では、オレンジソーダ、グレープソーダ、オレンジの飲料供給を指示する飲料選択ボタン４１に対応する飲料選択ボタン６６・・・が設けられている。これにより、高い位置にある飲料選択ボタン４１を操作することなく、カウンターテーブルＴの前面などの身障者や子供などの手が届きやすい低い位置に設けられるボタンモジュール６５の飲料選択ボタン６６を操作することにより、同様の飲料供給を実行することが可能となる。
【００７２】
特に、当該飲料選択ボタン６６のボタン照明６９も飲料選択ボタン４１に設けられるボタン照明４４と同一の制御が行われるため、これらボタンが同様の機能を有するものであることを利用者に想起させやすくなり、利便性の向上を図ることが可能となる。
【００７３】
なお、本実施例では、ボタンモジュール６５を当該飲料ディスペンサ１が設置されるカウンターテーブルＴの前面に設けているが、これに限定されるものではなく、任意の場所、例えば、飲料ディスペンサ１の周囲であって、利便性の高い位置に設けることが好ましい。
【００７４】
また、上記飲料ディスペンサ１の制御装置６０は、飲料選択ボタンの対応する飲料が売り切れとなったことを検出した場合には、当該飲料選択ボタンのボタン照明４４又は６９は消灯し、使用者に、当該飲料選択ボタンによる飲料の供給が行えないことを報知する。尚、これに限定されるものではなく、各飲料選択ボタン毎に売り切れランプを別個独立に備え、飲料選択ボタンのボタン照明４４の制御は、上記と同様とすると共に、売り切れ時には、当該売り切れランプを点灯し、使用者に当該飲料選択ボタンによる飲料の供給が行えないことを報知しても良い。
【００７５】
更に、制御装置６０は、当該異常発生時には、白色の扉上部照明６２Ｗを消灯すると共に、赤色の扉上部照明６２Ｒを点灯して、当該扉上部照明の点灯状態を変更する。これにより、上部カバー２４を透過した扉上部照明６２Ｒの赤色光が、扉２８上面や上部前面から照射されるため、利用者に不安感を与えることなく、飲料ディスペンサ１を管理する店員などに飲料ディスペンサ１に異常、本実施例の如く飲料の売り切れが発生したことを報知することが可能となる。特に、この場合、扉上部照明６２Ｗ、６２Ｒの点灯状態を変更することから、従来の如く扉２８前面に設けられる小型のランプによって異常を報知する場合に比較して、店員等に異常を認識させやすくなるため、早期に異常への対応を行うことが可能となる。なお、本実施例では、扉上部照明の照明色を白色から赤色に変更することにより、異常発生を報知可能としているが、当該色に限定されるものではなく、また、発光色の変更に限定されることなく、点滅や周期的な点灯や消灯などにより、報知を行っても良い。
【００７６】
更に、当該制御装置６０は、販売可スイッチ７３により、手動ですべての飲料選択ボタンのボタン照明４４、６９の点灯・消灯を可能とする。これにより、営業外時間帯などにおいて、使用者が販売可スイッチ７３をＯＦＦとし、すべてのボタン照明４４、６９を消灯することで、各飲料選択ボタンによる飲料供給を指示することができない状態とすることが可能となる。尚、当該販売可スイッチ７３による営業外時間帯などにおける飲料選択ボタンのボタン照明の点灯・消灯は、制御装置６０に内蔵されるタイマにより制御しても良いものとする。
【図面の簡単な説明】
【００７７】
【図１】本発明の飲料ディスペンサの正面図である。
【図２】飲料ディスペンサの扉を開いた状態の正面図である。
【図３】飲料ディスペンサの内部構成を示す側面図である。
【図４】装飾部材を取り除いた状態の飲料ディスペンサの正面図である。
【図５】図４のＡ−Ａ部分を上方から見た断面図である。
【図６】図４のＢ−Ｂ部分を下方から見た断面図である。
【図７】扉の上面図である。
【図８】図７の上部カバーを取り除いた状態の上面図である。
【図９】飲料選択ボタンの照明状態を示す図である。
【図１０】制御装置の電気ブロック図である。
【符号の説明】
【００７８】
Ｔ    カウンターテーブル
１    飲料ディスペンサ
２    本体
３    ＢＩＢ
１０  飲料供給位置（タンクユニット）
１１Ａ、１１Ｂ  飲料供給位置（ＢＩＢユニット）
１２  マルチノズル
１３  売切検知用センサ
２０、２１Ａ、２１Ｂ  カップセンサ
２２Ａ、２２Ｂ、２２Ｃ  装飾部材
２３  扉側保持部
２４  上部カバー
２８  扉
３１  タンクユニット
３２  ＢＩＢユニット
４０Ａ、４０Ｂ  飲料選択ボタン（ＢＩＢユニット）
４１、６６  飲料選択ボタン（タンクユニット）
４２、６７  ボタン側保持部
４３、６８  装飾部材
４３Ａ  反射面
４４、６９  ボタン照明（ボタン照明手段）
４５、７０  接触スイッチ
４６Ａ  反射面
４９  扉照明（扉照明手段）
５７、５８Ａ、５８Ｂ  位置照明
６０  制御装置
６２Ｗ、６２Ｒ  扉上部照明（扉上部照明手段）
６５  ボタンモジュール
【図１】
2008213884.tif 000003
【図２】
2008213884.tif 000004
【図３】
2008213884.tif 000005
【図４】
2008213884.tif 000006
【図５】
2008213884.tif 000007
【図６】
2008213884.tif 000008
【図７】
2008213884.tif 000009
【図８】
2008213884.tif 000010
【図９】
2008213884.tif 000011
【図１０】
2008213884.tif 000012